(57)【要約】  本発明は、プリント型紙幣結束機に関し、紙幣結束時に使う結束用紙にロゴ、日時、紙幣単位及び紙幣数量のような紙幣束ね情報を印刷するプリント型紙幣結束機を提供して、許可されない作業者による紙幣結束作業の遂行を防止することで、結束作業の保安を維持できる作業者認証プリント型紙幣結束システム及びその動作方法を提供する。本発明の一実施形態によるプリント型紙幣結束機は、電源部と、紙幣を結束するための結束用紙を収容している結束用紙収容部と、結束用紙収容部から引入された結束用紙に紙幣束ね情報を印刷する印刷部と、紙幣束ね情報が印刷された結束用紙を用いて紙幣を結束する結束部と、結束用紙に紙幣束ね情報を印刷して結束するのに必要な情報を含んだ多数の情報を保存しているメモリーと、電源部、結束用紙収容部、印刷部、結束部及びメモリーを含む結束用紙に紙幣束ね情報を印刷して結束するのに必要な装置を制御する制御部と、を含む。
2009535728.tif 000002
【特許請求の範囲】
【請求項１】
プリント型紙幣結束機において、
電源部と、
紙幣を結束するための結束用紙を収容している結束用紙収容部と、
前記結束用紙収容部から引入された結束用紙に紙幣束ね情報を印刷する印刷部と、
前記紙幣束ね情報が印刷された結束用紙を利用して紙幣を結束する結束部と、
前記結束用紙に前記紙幣束ね情報を印刷して、結束するのに必要な情報を含んだ多数の情報を保存しているメモリーと、
前記電源部、結束用紙収容部、印刷部、結束部、及びメモリーを含む前記結束用紙に前記紙幣束ね情報を印刷して結束するのに必要な装置を制御する制御部と、
を含むことを特徴とするプリント型紙幣結束機。
【請求項２】
前記メモリーに保存される多数の情報ら、または前記制御部に入力される作業指示信号らが入力される入力部か、または
前記メモリーに保存される多数の情報らまたは前記制御部に入力される作業指示信号らを外部装置と連結されて送受信するインターフェース部か、
をさらに含むことを特徴とする請求項１に記載のプリント型紙幣結束機。
【請求項３】
前記メモリーに保存される多数の情報らまたは前記制御部に入力される作業指示信号らが入力される入力部と、
前記メモリーに保存される多数の情報らまたは前記制御部に入力される作業指示信号らを外部装置と連結されて送受信するインターフェース部と、
をさらに含むことを特徴とする請求項１に記載のプリント型紙幣結束機。
【請求項４】
前記印刷部は、
現在日時を測定するカウンターモジュールと、
前記メモリーから紙幣束ね情報を受けて前記結束用紙に紙幣束ね情報を印刷する印刷モジュールと、
を含むことを特徴とする請求項１ないし３のうちいずれか一項に記載のプリント型紙幣結束機。
【請求項５】
前記印刷部から吐出された結束用紙の圧力を感知するセンサー部をさらに含み、
前記制御部が前記センサー部の感知信号によって前記印刷部の作動を調節することで、前記結束用紙の滞積量を調節して結束用紙の破損を防止することを特徴とする請求項１ないし３のうちいずれか一項に記載のプリント型紙幣結束機。
【請求項６】
前記メモリーに保存された紙幣束ね情報を含んだ多数の情報を表示するディスプレー部をさらに含むことを特徴とする請求項１ないし３のうちいずれか一項に記載のプリント型紙幣結束機。
【請求項７】
前記ディスプレー部は、タッチパッド機能を有することを特徴とする請求項６に記載のプリント型紙幣結束機。
【請求項８】
前記制御部は、前記電源部がオフされると、既に印刷されたが不使用である残余結束用紙が排出されるように制御することを特徴とする請求項１ないし３のうちいずれか一項に記載のプリント型紙幣結束機。
【請求項９】
前記制御部は、作業終了信号が入力されても、既に印刷されたが不使用である残余結束用紙が消耗されるように前記印刷部と前記結束部を制御することを特徴とする請求項１ないし３のうちいずれか一項に記載のプリント型紙幣結束機。
【請求項１０】
前記メモリーに保存される情報は、前記プリント型紙幣結束機を利用した印刷結束作業遂行が許可された作業者認証情報をさらに含んでいることを特徴とする請求項１ないし３のうちいずれか一項に記載のプリント型紙幣結束機。
【請求項１１】
前記メモリーに保存される作業者認証情報は、パスワードまたは生体情報であることを特徴とする請求項１０に記載のプリント型紙幣結束機。
【請求項１２】
前記メモリーに保存される作業者認証情報と入力部またはインターフェース部を介して入力された情報とが一致しない場合、警告音を発生させる警告音発生部をさらに含むことを特徴とする請求項１０に記載のプリント型紙幣結束機。
【請求項１３】
前記制御部は、前記メモリーに保存される作業者認証情報と入力部またはインターフェース部を介して入力された情報とが一致しない場合、前記インターフェース部を介して連結される外部装置の通信網を介して指定された装置に不一致情報を送信することを特徴とする請求項１０に記載のプリント型紙幣結束機。
【請求項１４】
前記制御部は、前記メモリーに保存された作業者認証情報と前記入力部またはインターフェース部を介して入力された情報とが一致する場合のみに前記印刷結束作業を遂行するように制御することを特徴とする請求項１０に記載のプリント型紙幣結束機。
【請求項１５】
印刷結束作業者識別情報及び作業者認証情報を含む作業者情報(Ａ)を保存したＩＤタグを具備した保安カードと、
前記ＩＤタグに保存された作業者情報(Ａ)を接触または非接触によって受信するＩＤタグ受信部と、
前記印刷結束作業遂行が許可された作業者情報(Ｂ)及び紙幣束ね情報を印刷して結束するのに必要な情報を含んだ多数の情報らが保存されたメモリーと、
前記保安カードから受信されたＩＤタグの作業者情報(Ａ)と前記メモリーに保存された作業者情報(Ｂ)とを比べて、その一致可否によって結束用紙に前記紙幣束ね情報を印刷して結束するのに必要な装置を制御する制御部を含むプリント型紙幣結束機と、
を含むことを特徴とするＩＤタグが挿入された保安カードを利用した作業者認証プリント型紙幣結束システム。
【請求項１６】
前記制御部は、紙幣結束作業中に前記メモリーに保存された作業者情報が承認を得ずに操作されるか、または削除される場合、アラームを発生するか、または通信網を介して指定された装置に自動で連絡するように制御することを特徴とする請求項１５に記載のＩＤタグが挿入された保安カードを利用した作業者認証プリント型紙幣結束システム。
【請求項１７】
前記制御部は、前記２個の情報(Ａ及びＢ)が不一致である場合、通信網を介して保安会社にその事実を知らせることを特徴とする請求項１５に記載のＩＤタグが挿入された保安カードを利用した作業者認証プリント型紙幣結束システム。
【請求項１８】
前記結束用紙に作業者識別情報、銀行名、日付、支店名を含んで印刷することを特徴とする請求項１５に記載のＩＤタグが挿入された保安カードを利用した作業者認証プリント型紙幣結束システム。
【請求項１９】
前記ＩＤタグは、ＲＦＩＤタグであり、
前記ＩＤタグ受信部は、ＲＦＩＤタグ受信部であることを特徴とする請求項１５ないし１８のうちいずれか一項に記載のＩＤタグが挿入された保安カードを利用した作業者認証プリント型紙幣結束システム。
【請求項２０】
ＩＤタグが挿入された保安カードと、プリント型紙幣結束機とを含む作業者認証プリント型紙幣結束システムの動作方法において、
(ａ)前記保安カードのＩＤタグに保存された作業者識別情報及び認証情報を含む作業者情報が前記紙幣結束機のＩＤ受信部を介して入力される段階と、
(ｂ)前記保安カードのＩＤタグに保存された作業者情報と前記紙幣結束機のメモリーに既に保存された結束作業遂行が許可された作業者情報とが比較される段階と、
(ｃ)前記(ｂ)段階の判断結果によって前記紙幣結束機の使用権限を制御して印刷及び結束動作がなされる段階と、
を含むことを特徴とするＩＤタグが挿入された保安カードを利用した作業者認証プリント型紙幣結束システムの動作方法。
【請求項２１】
前記(ｂ)段階で前記２個の作業者情報が一致しない場合には、アラーム信号を発生して作業を停止する段階をさらに含むことを特徴とする請求項２０に記載のＩＤタグが挿入された保安カードを利用した作業者認証プリント型紙幣結束システムの動作方法。
【請求項２２】
前記(ｂ)段階で前記２個の作業者情報が一致しない場合には、通信網を介して保安会社のサーバーに前記作業者情報の不一致を知らせる段階をさらに含むことを特徴とする請求項２０または２１に記載のＩＤタグが挿入された保安カードを利用した作業者認証プリント型紙幣結束システムの動作方法。
【請求項２３】
前記(ｂ)段階で前記２個の作業者情報が一致する場合には、前記作業者情報のうちで該当作業者の識別情報を紙幣結束用紙に銀行名、日付、支店名を含んだ情報とともに印刷して紙幣結束を行う段階を含むことを特徴とする請求項２０に記載のＩＤタグが挿入された保安カードを利用した作業者認証プリント型紙幣結束システムの動作方法。
【発明の詳細な説明】
【技術分野】
【０００１】
本発明は、紙幣を束ねる時に使う結束用紙に、ロゴ、日時、紙幣単位及び紙幣数量などのような紙幣束ね情報を印刷することができるプリント型紙幣結束機に関するものである。
【背景技術】
【０００２】
紙幣結束機に関しては、大韓民国特許出願公開第２０００-００７４５９９号(発明の名称：紙幣結束機、以下、‘先行特許'と称する)以外にも多数出願及び特許登録されている。より具体的には、先行特許による紙幣結束機は、その明細書に記載されたように、前／後リボンパスカバー２２、２３が両端で結合されて、ヒーターアセイ３を堅く支持できるように設置された一つのリボンパスブロック２１と、該リボンパスブロック２１の前／後両端に上／下固定棒２７と共に結合される前／後リボンパスカバー２２、２３らと、前／後リボンパスカバー２２、２３の側面に設置されて、Ｘバー２４ａ、２４ｂに前／後リボンパスカバー２２、２３をリボンパスブロック２１から開けてくれるか、または復帰させるＸバー連動手段と、バンディングプレート１７の上／下に対向されるように配置されて、バンディングプレート１７に面接触される紙幣束ね面を線または面接触で押してくれる押しバー駆動手段となどから構成されていることを特徴とする。
しかし、先行特許及び一般的な紙幣結束機に関する発明らは、結束用紙を利用して紙幣を束ね単位で結束する役割のみを遂行するように構成されており、作業者が紙幣束ねに関する情報を容易に把握することができないという問題点があった。
また、前記従来技術では、権限がない作業者が紙幣結束機を使うことを阻むことができず、保安が脆弱であるという問題点が存在していた。
【特許文献１】韓国特許出願公開第２０００−００７４５９９号明細書
【発明の開示】
【発明が解決しようとする課題】
【０００３】
本発明は、前記のような問題点を解決するために創案されたものであり、本発明の目的は、紙幣結束時に使う結束用紙にロゴ、日時、紙幣単位及び紙幣数量などを含む紙幣束ね情報を印刷することができて、作業者が紙幣束ねに関する情報を容易に把握することができるプリント型紙幣結束機を提供することにある。
本発明の他の目的は、金融会社別商号及び必要データを記入する過程を自動化することで、業務の効率向上及び維持費用低減を行うことができるプリント型紙幣結束機を提供することにある。
本発明のさらに別の目的は、インターフェース部を介して外部装置と情報を送受信することができて、金融電算システムと統合または連動されて使われることができるプリント型紙幣結束機を提供することにある。
本発明のさらに別の目的は、電源がオフされるか、または作業が終わった時、紙幣結束機内部に既に印刷された結束用紙がないように制御することで、他の作業者によって、残余印刷結束用紙の紙幣記録が誤って使用されたり、盗用され悪事に使用されたりしないように、器機保安が強化されたプリント型紙幣結束機を提供することにある。
【０００４】
本発明のさらに別の目的は、認証された作業者のみが前記結束機を使うようにすることができて、結束作業の保安を維持することができるプリント型紙幣結束機を提供することにある。
本発明のさらに別の目的は、認証された作業者ではない場合、警報音を発生するか、またはインターフェース部と連結される外部装置の通信網を介して指定された装置に不一致情報を送信することができるプリント型紙幣結束機を提供することにある。
本発明のさらに別の目的は、作業者の識別情報が保存されたＩＤタグを具備した保安カードを利用して、許可されない作業者が紙幣結束作業を遂行することをあらかじめ防止するようにすることで、結束作業の保安を維持することができる作業者認証プリント型紙幣結束システム及びその動作方法を提供することにある。
本発明のさらに別の目的は、紙幣結束作業中に使用者認証プリント型紙幣結束機システムのメモリーに保存された作業者情報が承認を得ずに操作されるか、または削除される場合、アラームを発生して通信網を介して保安会社などに自動で連絡できるようにする作業者認証プリント型紙幣結束システム及びその動作方法を提供することにある。
本発明のさらに別の目的は、金融機関や官公署などで紙幣(証券、株式なども含む)、重要文書などを結束する時に作業者の身元を確認して、結束用紙に作業者の識別情報、作業機関名、日付、作業場所などを印刷することで、作業者による不正を基本的に排除できるだけではなく、結束された紙幣や文書の流れを容易に追跡することができる作業者認証プリント型紙幣結束システム及びその動作方法を提供することにある。
【課題を解決するための手段】
【０００５】
前述した目的を達成するために、本発明は一実施態様として、プリント型紙幣結束機において、電源部と、紙幣を結束するための結束用紙を収容している結束用紙収容部と、該結束用紙収容部から引入された結束用紙に紙幣束ね情報を印刷する印刷部と、前記紙幣束ね情報が印刷された結束用紙を利用して紙幣を結束する結束部と、前記結束用紙に前記紙幣束ね情報を印刷して結束するのに必要な情報を含んだ多数の情報らを保存しているメモリーと、及び前記電源部、結束用紙収容部、印刷部、結束部、及びメモリーを含む前記結束用紙に前記紙幣束ね情報を印刷して結束するのに必要な装置を制御する制御部と、を含むプリント型紙幣結束機を提供する。
本発明のプリント型紙幣結束機は、前記メモリーに保存される多数の情報らまたは前記制御部に入力される作業指示信号らを外部装置と連結されて送受信するインターフェース部、または前記メモリーに保存される多数の情報らまたは前記制御部に入力される作業指示信号らが入力される入力部をさらに含むことが好ましい。
本発明のプリント型紙幣結束機は、前記メモリーに保存される多数の情報らまたは前記制御部に入力される作業指示信号らを外部装置と連結されて送受信するインターフェース部と、前記メモリーに保存される多数の情報らまたは前記制御部に入力される作業指示信号らが入力される入力部とをさらに含むことが好ましい。
【０００６】
本発明のプリント型紙幣結束機は、前記印刷部が現在日時を測定するカウンターモジュールと、前記メモリーから紙幣束ね情報を受けて前記結束用紙に紙幣束ね情報を印刷する印刷モジュールと、を含むことを特徴とする。
本発明のプリント型紙幣結束機は、前記印刷部から吐出された結束用紙の圧力を感知するセンサー部をさらに含み、前記制御部が前記センサー部の感知信号によって前記印刷部の作動を調節することで、前記結束用紙の滞積量を調節して、結束用紙の破損を防止することを特徴とする。
本発明のプリント型紙幣結束機は、前記メモリーに保存された紙幣束ね情報を含んだ多数の情報を表示するディスプレー部をさらに含むことを特徴とする。
本発明のプリント型紙幣結束機は、前記ディスプレー部がタッチパッド機能を有することを特徴とする。
本発明のプリント型紙幣結束機は前記制御部が、前記電源部がオフされると既に印刷されたが、不使用である残余結束用紙が排出されるように制御することを特徴とする。
本発明のプリント型紙幣結束機は、前記制御部が作業終了信号を入力しても、既に印刷されたが、不使用である残余結束用紙が消耗されるように前記印刷部と前記結束部を制御することを特徴とする。
【０００７】
本発明のプリント型紙幣結束機は、前記メモリーに保存される情報が前記プリント型紙幣結束機を利用した印刷結束作業遂行が許可された作業者認証情報をさらに含んでいることを特徴とする。
本発明のプリント型紙幣結束機は、前記メモリーに保存される作業者認証情報がパスワードまたは生体情報であることを特徴とする。
本発明のプリント型紙幣結束機は、前記メモリーに保存される作業者認証情報と入力部またはインターフェース部を介して入力された情報とが一致しない場合、警告音を発生させる警告音発生部をさらに含むことを特徴とする。
本発明のプリント型紙幣結束機は、前記制御部が前記メモリーに保存される作業者認証情報と入力部またはインターフェース部を介して入力された情報とが一致しない場合、前記インターフェース部を介して連結される外部装置の通信網を介して指定された装置に不一致情報を送信することを特徴とする。
本発明のプリント型紙幣結束機は、前記制御部が前記メモリーに保存された作業者認証情報と前記入力部またはインターフェース部を介して入力された情報とが一致する場合のみに前記印刷結束作業を遂行するように制御することを特徴とする。
【０００８】
また本発明は、印刷結束作業者識別情報及び作業者認証情報を含む作業者情報(Ａ)を保存したＩＤタグを具備した保安カードと、及び前記ＩＤタグに保存された作業者情報(Ａ)を接触または非接触によって受信するＩＤタグ受信部と、前記印刷結束作業遂行が許可された作業者情報(Ｂ)及び紙幣束ね情報を印刷して結束するのに必要な情報を含んだ多数の情報が保存されたメモリーと、前記保安カードから受信されたＩＤタグの作業者情報(Ａ)と前記メモリーに保存された作業者情報(Ｂ)とを比べてその一致可否によって結束用紙に前記紙幣束ね情報を印刷して結束するのに必要な装置を制御する制御部を含むプリント型紙幣結束機と、を含むＩＤタグが挿入された保安カードを利用した作業者認証プリント型紙幣結束システムを提供する。
【０００９】
本発明の作業者認証プリント型紙幣結束システムで前記制御部は、紙幣結束作業中に前記メモリーに保存された作業者情報が承認を得ずに操作されるか、または削除される場合、アラームを発生するか、または通信網を介して指定された装置に自動で連絡するように制御することを特徴とする。
本発明の作業者認証プリント型紙幣結束システムで前記制御部は、前記２個の情報(Ａ及びＢ)が不一致である場合、通信網を介して保安会社にその事実を知らせることを特徴とする。
本発明の作業者認証プリント型紙幣結束システムでは、前記結束用紙に作業者識別情報、銀行名、日付、支店名を含んで印刷することを特徴とする。
【００１０】
また、本発明は、ＩＤタグが挿入された保安カードとプリント型紙幣結束機とを含む作業者認証プリント型紙幣結束システムの動作方法において、(ａ)前記保安カードのＩＤタグに保存された作業者識別情報及び認証情報を含む作業者情報が前記紙幣結束機のＩＤ受信部を介して入力される段階と、(ｂ)前記保安カードのＩＤタグに保存された作業者情報と前記紙幣結束機のメモリーに既に保存された結束作業遂行が許可された作業者情報とが比較される段階と、(c)前記(ｂ)段階の判断結果によって前記紙幣結束機の使用権限を制御して印刷及び結束動作がなされる段階と、を含むＩＤタグが挿入された保安カードを利用した作業者認証プリント型紙幣結束システムの動作方法を提供する。
【００１１】
本発明の作業者認証プリント型紙幣結束システムの動作方法において、前記(ｂ)段階で前記２個の作業者情報が一致しない場合には、アラーム信号を発生して作業を停止する段階をさらに含むことを特徴とする。
本発明の作業者認証プリント型紙幣結束システムの動作方法において、前記(ｂ)段階で前記２個の作業者情報が一致しない場合には通信網を介して保安会社のサーバーに前記作業者情報の不一致を知らせる段階をさらに含むことを特徴とする。
前記本発明の作業者認証プリント型紙幣結束システムの動作方法において、前記(ｂ)段階で前記２個の作業者情報が一致する場合には、前記作業者情報のうちで該当作業者の識別情報を紙幣結束用紙に銀行名、日付、支店名を含んだ情報とともに印刷して、紙幣結束を行う段階を含むことを特徴とする。
【発明の効果】
【００１２】
以上で説明された本発明は次のような優秀な効果がある。
本発明のプリント型紙幣結束機によると、紙幣結束時に使う結束用紙にロゴ、日時、紙幣単位及び紙幣数量などを含む紙幣束ね情報を印刷することができて、作業者が紙幣束ねに関する情報を容易に把握することができる。
本発明のプリント型紙幣結束機によると、金融会社別商号及び必要データを記入する過程を自動化することで業務の効率向上及び維持費用低減を行うことができる。
本発明のプリント型紙幣結束機によると、インターフェース部を介して外部装置と情報を送受信することができて、金融電算システムと統合または連動されて使われることができる。
本発明のプリント型紙幣結束機によると、電源がオフされるか、または作業が終わった時、紙幣結束機内部に既に印刷された結束用紙がないように制御することで、他の作業者によって、残余印刷結束用紙の紙幣記録が誤って使用されたり、盗用され悪事に使用されたりしないように器機保安が強化された。
【００１３】
本発明のプリント型紙幣結束機によると認証された作業者だけが前記結束機を使うようにすることができて、結束作業の保安を維持することができる。
本発明のプリント型紙幣結束機、作業者認証紙幣結束システム及びその動作方法によると、認証された作業者ではない場合に、警報音を発生するか、またはインターフェース部と連結される外部装置の通信網を介して指定された装置に不一致情報を送信することができる。
本発明の作業者認証プリント型紙幣結束システム及びその動作方法によると、作業者の識別情報が保存されたＩＤタグを具備した保安カードを利用して、許可されない作業者が紙幣結束作業を遂行することをあらかじめ防止するようにすることで、結束作業の保安を維持することができる。
本発明の作業者認証プリント型紙幣結束システム及びその動作方法によると、紙幣結束作業中に作業者認証プリント型紙幣結束機システムのメモリーに保存された作業者情報が承認を得ずに操作されるか、または削除される場合に警告音を発生して、通信網を介して保安会社などに自動で連絡するようにできる。
本発明の作業者認証プリント型紙幣結束システム及びその動作方法によると、金融機関や官公署などで紙幣(証券、株式なども含む)、重要文書などを結束する時に作業者の身元を確認して、結束用紙に作業者の識別情報、作業機関名、日付、作業場所などを印刷することで、作業者による不正を基本的に排除できるだけではなく、結束された紙幣や文書の流れを容易に追跡することができる。
【発明を実施するための最良の形態】
【００１４】
本発明の特徴及び利点らは添付図面に基づいた次の詳細な説明でさらに明らかになる。これの前に、本明細書及び請求範囲に使われた用語や単語は、発明者が自身の発明を最善の方法で説明するために用語の概念を適切に定義することができるという原則に即して、本発明の技術的思想に符合する意味と概念で解釈されなければならない。
また、本発明に係わる公知機能及びその構成に対する具体的な説明が本発明の要旨を不必要に不明瞭にすることがあると判断される場合には、その具体的な説明を省略したことに留意されたい。
以下、添付された図面を参照して本発明を詳細に説明する。
なお、本発明の一実施形態によるプリント型紙幣結束機に関する構成図で、本発明による結束部は先行特許に記載した結束部の構成及び作動様相を一部含むので、その主要構成のみを図式化して説明するようにする。
【００１５】
図面を参照してその詳細構成を詳しく見ると、図２に示すように本発明の一実施形態によるプリント型紙幣結束機１００は、電源部１１０、結束用紙収容部１２０、印刷部１３０、結束部１４０、メモリー２００及び制御部１５０で構成される。
先ず、結束用紙収容部１２０は、紙幣を結束するための結束用紙(いわゆる‘帯紙またはテープ')を収容している。印刷部１３０は、結束用紙収容部１２０から引入された結束用紙に作業者が所望のロゴ、日時、紙幣単位及び紙幣数量などのような紙幣束ねに関する情報(以下、‘紙幣束ね情報')を印刷する機能を遂行するものであり、これを具現するための一実施形態として現在日時を測定するカウンターモジュールと、前記メモリー２００に保存された紙幣束ね情報を受けて、前記結束用紙に紙幣束ね情報を印刷する印刷モジュールを含んで構成されることができる。
本実施形態では印刷部１３０の印刷方法を通常のドット方式で設定するが、本発明がその方式で限定されるものではなくて、インクジェット方式または熱転写方式など公知の印刷方法をすべて使うことができる。
【００１６】
結束部１４０は、通常の紙幣結束モジュールとして、紙幣が引入される場合、紙幣束ね情報が印刷された結束用紙を利用して紙幣を結束する機能を遂行する。
メモリー２００は、前記結束用紙に前記紙幣束ね情報を印刷して結束するのに必要な情報を含んだ多数の情報を保存しているものであり、本実施形態でメモリー２００はＥＥＰＲＯＭのような再記録が可能な非揮発性メモリーで設定するが、本発明はこれに限定されるものではない。ここで紙幣束ね情報は銀行名、支店名、作業者番号(Operator number)、日付などを含む。
【００１７】
そして、制御部１５０は、前述した構成要素１１０、１２０、１３０、１４０、２００を含む引入された紙幣を紙幣束ね情報が印刷された結束用紙を利用して結束するのに必要な装置を制御する。
特に、前記制御部１５０は、前記電源部１１０がオフされると、既に印刷されたが不使用である残余結束用紙が排出されるように制御することが望ましい。このように既に印刷されたが不使用である残余結束用紙が排出されると、作業者は、他の作業者によって紙幣記録が誤って使用されたり、盗用されて悪事に使用されたりしないように、前記排出された結束用紙を前記紙幣結束機１００から除去して再使用ができないように廃棄しなければならない。
また、前記制御部１５０は、作業終了信号が入力されても、図４に示すように既に印刷されたが、不使用である残余結束用紙が消耗されるように、前記印刷部１３０と前記結束部１４０を制御する。すなわち、以前情報が印刷された結束用紙を排出するのに適当な回数(４回で示されたが印刷部によって回数は変わることがある)で結束部１４０による紙幣結束が自動で実行されて印刷部分が消耗されるように制御するものである。その結果、紙幣束ね情報が印刷されたが使われないことで、残余結束用紙が悪用される余地を前もって除去する。
【００１８】
図３を参照すると、本発明の他の実施形態によるプリント型紙幣結束機１００は、図２に示された電源部１１０、結束用紙収容部１２０、印刷部１３０、結束部１４０、メモリー２００及び制御部１５０以外に、センサー部１６０、入力部１７０、インターフェース部１８０、ディスプレー部１９０をさらに含むことを分かる。ここでさらに含まれる構成要素のうちでセンサー部１６０、入力部１７０、インターフェース部１８０、及びディスプレー部１９０はいずれか一つのみを含むこともでき、一つの構成で２個の機能を具現できるように構成することもできる。
【００１９】
先ず、センサー部１６０に対して詳しく見ると、図７に示すように、センサー部１６０は結束部１４０ケース内側面に位置して印刷部１３０から吐出された結束用紙を感知することで、印刷部１３０の作動を調節する。
すなわち、図２に示されたプリント型紙幣結束機１００は、図５に示すように、印刷部から吐出された結束用紙が結束部に引入される時印刷部と結束部の強度(テンション)によって結束用紙が破損されることがある。これは印刷部１３０と結束部１４０との間の所定空間を経て結束用紙を結束部１４０に引入させることで克服することができるが、図６に示すように、結束用紙が結束機内部に滞積される場合、これによる誤作動が発生することがある。
【００２０】
前記問題を解決するために本発明の他の実施形態によるプリント型紙幣結束機１００は、図７に示すように、結束部１４０に近接したケース内側面に位置するセンサー部１６０をさらに含むようになるものである。付け加えると、制御部１５０は、センサー部１６０を介して印刷部１３０と結束部１４０との間の所定空間に位置した結束用紙の圧力が感知される場合、印刷部１３０の作動を停止させて、感知されない場合、制御部１５０は結束用紙が滞積されていないと判断して、印刷部１３０を再び作動させる。本実施形態でセンサー部１６０を圧力センサーで設定するが、本発明はこれに限定されない。
場合によっては、本発明の他の実施形態によるプリント型紙幣結束機１００は、図８に示すように紙幣引入口(Ｉ)に対向するケースの一側面部で、結束機内側方向に所定長さ延長されて、印刷部から吐出された結束用紙を据え置きするための据え置き手段(Ｌ)をさらに含むこともできる。
【００２１】
図９は、本発明の一実施形態による入力部、インターフェース部及びディスプレー部が示されたものである。図９を参照して前記構成要素らに対して詳しく見ると、以下の通りである。
入力部１７０は、前記メモリー２００に保存される紙幣束ね情報を含んだ多数の情報ら、または前記制御部１５０に入力される作業指示信号らを入力するためのものとして公知の構成の入力手段が使われることができるが、好ましくは、図９に示されたようなキー入力部であるか、またはタッチスクリーン方式が採択されることができる。
インターフェース部１８０は、前記メモリー２００に保存される多数の情報ら、または前記制御部に入力される作業指示信号らを外部装置と連結されて送受信する。このようにインターフェース部１８０は、外部装置と連結されてメモリー２００に保存された紙幣束ね情報、各種外部情報を含む多数の情報らを送受信する機能を遂行すること、かつ外部装置から新しいロゴまたは文字の送信を受けることができる。よって、本実施形態でインターフェース部は、ＵＳＢポートまたはＲＳ２３２ポートで設定することができるが、本発明はこれに限定されるものではない。また、本発明によるプリント型紙幣結束機１００は、インターフェース部１８０を介して紙幣の収集、計数、検査及び結束まで可能な金融精算システムと統合または連動されて使われることだけではなく、保安会社と連動されることもできる。
【００２２】
ディスプレー部１９０は、入力部１７０、インターフェース部１８０を介して入力された情報及びメモリー２００に保存された紙幣束ね情報、新しいロゴまたは文字情報などの各種情報を表示するが、この時本発明のディスプレー部１９０は、ＣＲＴディスプレー装置、記憶型表示、プラズマ表示及び液晶、ＥＬ(electroluminescence)、発光ダイオード、ＥＣＤ(electro chromic display)などを含んで公知された表示手段が使われることができるが、好ましくは、タッチパッド機能を有することもできる。
前述した入力部１７０、インターフェース部１８０及びディスプレー部１９０は、場合によっては、入力部１７０とインターフェース部１８０が一つの構成要素で統合されるか、またはタッチスクリーンのように入力部１７０とディスプレー部１９０が一つの構成要素で統合されるなどその機能が統合されることができる。
【００２３】
一方、本発明のプリント型紙幣結束機は、前記メモリー２００にプリント型紙幣結束機１００を利用した印刷結束作業遂行が許可された作業者認証情報を含むようにして、その保安性を強化することができるが、前記メモリー２００に保存される作業者認証情報は、パスワードまたは生体情報であることが望ましい。この時、パスワードは作業者が決めた暗号であり、生体情報は指紋認識情報、虹彩認識情報などになることができるが、配属変更による作業者の変更または作業者の意思によってアップデートされるか、または修正されることができる。場合によっては、保安性を強化するためにパスワードと生体情報をすべて認証するように具現することもでき、作業者認証情報の変更のために別途の権限をさらに得るか、またはインターフェース部１８０を介して連結された外部装置のみで作業者認証情報の変更が可能になるように具現することもできる。また、前記作業者認証情報は、メモリー２００と別に保存されることもできる。
このように本発明のプリント型紙幣結束機１００がメモリー２００などに作業者認証情報を保存している場合、前記制御部１５０は、メモリー２００などに保存された作業者認証情報と、入力部１７０またはインターフェース部１８０を介して入力された情報とが一致する場合のみに印刷結束作業を遂行できるように構成されることができる。
【００２４】
本発明のプリント型紙幣結束機１００が前述したところのように、作業者認証を要求するように具現された場合、入力部１７０またはインターフェース部１８０を介して入力された情報が一致しなければ、警告音を発生させるように警告音発生部を含むことが望ましい。
場合によっては、制御部１５０がインターフェース部１８０を介して連結される外部装置の通信網を介して保安会社のサーバーなどのような指定された装置に不一致情報を送信して、その対策を用意できるように構成されることもできる。
【００２５】
以下、前述した構成を有するプリント型紙幣結束機の作動様相に関して説明するようにする。
先ず、電源部１１０がオンされて、作業指示をしようとする場合に作業者認証を要求するメッセージがディスプレー部１９０に表示されて、作業者認証情報の入力を受けた後保存された作業者認証情報と一致するようになるとその次の作業を進行して、一致しなくなると警告音を発生するか、または不一致情報を保安会社などに送信するようになる。場合によってはディスプレー部１９０がない場合、作業指示信号が入力されても、先に作業者認証情報の入力がない場合には、プリント型紙幣結束機１００が動作されないように具現することもできる。このような過程は、作業者認証情報がプリント型紙幣結束機１００に保存されていない場合には省略されることもできる。
その次に、紙幣引入口(Ｉ)に紙幣が引入されると、印刷部１３０はメモリー２００に保存された紙幣束ね情報を結束用紙に印刷する。この時、作業者が違う情報を印刷しようとする場合、制御部１５０は、入力部１７０またはインターフェース部１８０を介して前記他の情報の入力を受けることで作業者が所望の情報を印刷する。
制御部１５０は、センサー部を介して感知された結束用紙の圧力によって印刷部１３０の作動を調節することで、結束機内部の結束用紙滞積量を調節して、結束部を介して紙幣束ね情報が印刷された結束用紙を利用して紙幣を結束する。
制御部１５０は、作業終了信号が入力されても、図３のように既に印刷されたが不使用である残余結束用紙が消耗されるように前記印刷部１３０と前記結束部１４０を制御する。場合によっては、印刷されたが不使用である残余結束用紙が排出されるようにして、作業者が除去するように構成される。
【００２６】
ここで、図１０を参照してプリント型紙幣結束機１００構成の位置変更に関して説明する。
図１０を参照して前述した構成の位置変更に関して説明すると、全体的に結束用紙収容部１２０は印刷部１３０の場所に位置され、印刷部１３０はセンサー部１６０の場所に位置され、センサー部１６０は印刷部１３０の下部に位置される。
また、プリント型紙幣結束機１００は、紙幣引入口(Ｉ)に対向するケース一側面部で結束機内側方向に所定長さ延長されて、紙幣束ね情報が印刷された結束用紙を結束部１４０に誘導する第１誘導ブロック(Ｂ１)と、前記ケース内部の一側面部で結束部１４０方向に所定長さ延長されて、印刷部１３０から吐出された結束用紙をセンサー部１６０を経て結束機に誘導する第２誘導ブロック(Ｂ２)とを具備する。
【００２７】
具体的に、図１０に示すように、印刷部１３０から吐出された結束用紙は、第１誘導ブロック(Ｂ１)によって結束部１４０に引入されて、センサー部１６０が結束用紙を感知することができないことで、結束機内部に滞積された結束用紙は第２誘導ブロック(Ｂ２)によって結束部１４０に引入される。
前述した位置変更を介して印刷部１３０から結束部１４０に引入される結束用紙の経路を縮めることができるし、プリント型紙幣結束機１００の大きさを縮小することができるという効果がある。
本発明の一実施形態によるプリント型紙幣結束機は、従来と違い結束用紙を利用して紙幣を結束するだけではなく、結束用紙に作業者が所望のロゴ、日時、紙幣単位及び紙幣数量などを印刷することができるし、制御部はセンサー部を介して結束用紙の圧力を感知して印刷部の作動を調節する特徴的な長所を有する。
【００２８】
次に、本発明の保安カードを利用した作業者認証プリント型紙幣結束システム及びその動作方法に対して詳しく見る。
先ず、本発明の保安カードを利用した作業者認証プリント型紙幣結束システムは、図１１に示すように、大きく保安カード１０、プリント型紙幣結束機１００、及び保安会社サーバーなどのような外部会社サーバーで構成される。
ここで、前記保安カード１０は、印刷結束作業が許可された作業者情報が保存されたＩＤタグ１１を含んでおり、前記ＩＤタグ１１に保存された作業者情報は、作業者識別情報及び作業者認証情報を含んで、金融機関などで前記プリント型紙幣結束機１００の使用の許可を受けた紙幣結束作業者に発給される。
したがって、前記保安カード１０の発給を受けた作業者は、紙幣結束作業を遂行する時、前記保安カード１０のＩＤタグに保存された作業者情報(Ａ)を前記プリント型紙幣結束機１００のＩＤ受信部２１０に接触(例えば、前記ＩＤタグがマグネチック帯である場合)、または非接触方式(例えば、前記ＩＤタグがＲＦＩＤタグである場合)を使って入力する。そして、前記プリント型紙幣結束機１００は、後述するところのように、前記保安カード１０から入力された作業者情報(Ａ)を既に保存された許可された作業者情報(Ｂ)と比べて認証することで紙幣結束作業を遂行するように制御される。
【００２９】
前記プリント型紙幣結束機１００は、図１１に示すように、ＩＤタグ受信部２１０、メモリー２００、電源部１１０、印刷部１３０、結束部１４０、制御部１５０、入力部１７０、インターフェース部１８０、ディスプレー部１９０、警告音発生部(図示せず)などで構成されている。ここで、ＩＤタグ受信部２１０を除いた残りの構成要素は、実質的に前述された構成と同一であるので、簡単に説明する。
前記ＩＤ受信部２１０は、前記保安カード１０に具備されたＩＤタグに保存された作業者情報(Ａ)を接触または非接触によって受信して、前記制御部１５０に送る役割をする。ここで、保安カードのＩＤタグがＲＦＩＤタグの場合には前記ＩＤタグ受信部２１０もＲＦＩＤタグ受信部で具現される。
【００３０】
前記メモリー２００は、印刷結束作業遂行が許可された作業者の作業者情報(Ｂ)と前述されたその他の多様な情報を保存している。ここで前記作業者情報(Ｂ)は、使用が許可された作業者を識別するための作業者識別情報と作業者を認証するための作業者認証情報を含むが、特に前記作業者識別情報と前記作業者認証情報は、お互いに対をなして保存されることが望ましい。また、前記メモリーには前記プリント型紙幣結束機１００を使う権限が与えられたすべての作業者に対する作業者情報があらかじめ保存されるが、前記作業者情報は一定権限を有した者によって修正及び変更されることができる。
前記印刷部１３０は、前記２個のデータ情報(Ａ及びＢ)が一致する場合のみに結束用紙に、前記ＩＤタグに保存された作業者情報のうちで作業者識別情報と銀行名、日付、時間、支店名などのような紙幣束ねデータ情報を印刷するように制御される。
【００３１】
前記結束部１４０は、前記印刷部１３０を介して前記紙幣束ね情報が結束用紙に印刷すると紙幣を一定束ね単位で結束する。
前記ディスプレー部１９０は、前記２個のデータ情報(Ａ及びＢ)の一致可否を表示するなど前記プリント型紙幣結束機１００の動作進行状態を作業者が肉眼で確認することができるＬＣＤ画面であることができる。
前記インターフェース部１８０は、前記２個のデータ情報(Ａ及びＢ)が一致しない時に通信網を介して金融機関サーバーや保安会社サーバーなど指定された外部装置に知らせるように情報を送るようにする役割をする。
前記警告音発生部(図示せず)は、前記２個のデータ情報(Ａ及びＢ)が一致しない時に警告音を発生する。
前記電源部１１０は、前記プリント型紙幣結束機１００の各構成要素に必要な電源をそれぞれ供給する。
【００３２】
前記制御部１５０は、メモリー２００に既に保存された許可された作業者情報を検索して、保安カード１０のＩＤタグ１１から入力された作業者情報(Ａ)と一致する作業者情報(Ｂ)があると、前記２個のデータ情報(Ａ及びＢ)の一致可否を判断して、その結果によって前記警告音発生部、印刷部１３０、結束部１４０の動作を制御するが、特に保安カード１０から受信されたＩＤタグの作業者情報とプリント型紙幣結束機のメモリー２００に保存された作業者情報を比べて一致しない場合、警告音を発生するか、または通信網を介して保安会社などに自動で連絡するように制御する(場合によっては警告音を発生させて、同時に保安会社に自動で連絡することもできる。)。また、紙幣結束作業中にプリント型紙幣結束機メモリー２００に保存された作業者情報が承認を得ずに操作されるか、または削除される場合にもアラームを発生して、通信網を介して保安会社などに自動で連絡するように制御する。この時も同一に警告音を発生させて、同時に保安会社に自動で連絡するように具現することもできる。
【００３３】
図１２は、本発明の一実施形態によるＩＤタグが挿入された保安カードを利用した作業者認証プリント型紙幣結束システムの動作方法を示す流れ図である。
前記ＩＤタグが挿入された保安カードを利用した作業者識別プリント型紙幣結束システムの動作方法は、図１２に示すように、先に前記プリント型紙幣結束機１００のＩＤ受信部２１０に前記保安カード１０のＩＤタグ１１に保存された印刷結束作業者情報(Ａ)が入力される(段階Ｓ１０)。
その次に、前記入力された保安カード１０のＩＤタグ１１に保存された作業者情報(Ａ)と前記プリント型紙幣結束機１００のメモリー２００に既に保存された結束作業遂行が許可された作業者情報(Ｂ)を比べて（この時、前記比較は実質的にメモリー２００に保存された作業者情報らのうちで前記入力された作業者情報(Ａ)と同一な情報があるかの可否を検索するものである）、二つの作業者情報(Ａ)(Ｂ)が一致する場合(段階Ｓ２０の‘一致’)には、既存紙幣束ねデータ情報のうちで作業者識別情報を前記入力された作業者情報(Ａ)のうち該当作業者の作業者識別情報(図１３のＮｏ．３に該当する)で修正またはアップグレードする(段階Ｓ３０)。
その次に、結束用紙に前記段階(Ｓ３０)で修正された現作業者識別情報と銀行名、日付、支店名を含んで印刷して結束作業を行う(段階Ｓ４０)。その後、作業が終わる。
一方、前記段階(Ｓ２０)で二つの情報が一致しない場合(段階Ｓ２０の‘いいえ’)には、警告音を発生して作業を中止するか、または通信網を介して保安会社のサーバーにこの事実を知らせる(段階Ｓ２１)。この時、前記段階Ｓ２１は順次に、または同時になされることもできる。
【００３４】
また、図１２は本発明の一実施形態による紙幣結束作業を遂行する過程を示したものであり、場合によっては紙幣結束作業を遂行する度に保安カードを介して作業者認証をするようにするか、または電源がオンになった状態で一定時間、例えば、１０分以上前記プリント型紙幣結束機１００が使われなくなると、自動的にロックされるように具現して、前記ロックされた状態は保安カードを介して作業者認証を受けた場合のみ、解除されるように具現することもできる。このように本発明の作業者認証プリント型紙幣結束システムを具現することは、１台のプリント型紙幣結束機１００を使うのが許諾された数名の作業者がある場合に、特に好ましい。
【００３５】
したがって、前記構成を有する本発明によるＩＤタグが挿入された保安カードを利用した作業者識別プリント型紙幣結束システム及びその動作方法は、作業者情報が保存されたＩＤタグを具備した保安カードを利用して、許可されない使用者が紙幣結束作業を遂行することをあらかじめ防止するようにすることで結束作業の保安を維持することができる。
また、作業者情報が保存されたＩＤタグを具備した保安カードから結束作業を遂行した該当作業者の作業者識別情報を自動で入力されて、紙幣束ね用用紙に前記作業者の識別情報を印刷するようになるので、問題が発生することを基本的に防止することができるし、また図１３のように銀行名、作業者識別情報、支店名、日付などを印刷するようになることで、結束された紙幣の流れを容易に追跡することができる。
【００３６】
以上に本発明の技術的思想を例示するための好ましい実施形態に関して説明及び図示したが、本発明はこのように図示及び説明されたそのままの構成及び作用のみに限定されるものではなく、技術的思想の範囲を逸脱することなしに、本発明に対して多数の変更及び修正が可能であることを当業者らはよく理解する。よって、そのようなすべての適切な変更及び修正及びその均等物らも本発明の範囲に属するものとして見なされなければならない。
【図面の簡単な説明】
【００３７】
【図１】従来の紙幣結束機に関する構成図である。
【図２】本発明の一実施形態によるプリント型紙幣結束機の構成ブロック図である。
【図３】本発明の他の実施形態によるプリント型紙幣結束機の構成ブロック図である。
【図４】本発明のプリント型紙幣結束機で印刷したが、使用されなかった結束用紙の除去のための流れ図である。
【図５】本発明の一実施形態によるプリント型紙幣結束機で印刷部から吐出された結束用紙が結束部に引入される様子を示す図面である。
【図６】本発明の一実施形態によるプリント型紙幣結束機で結束用紙がプリント型紙幣結束機内部に滞積された様子を示す図面である。
【図７】本発明の他の実施形態によるプリント型紙幣結束機で結束用紙がセンサー部を経て結束部に引入される様子を示す図面である。
【図８】図７に示されたプリント型紙幣結束機で印刷部から吐出された結束用紙を据え置きする据え置き手段を示す図面である。
【図９】図７に示されたプリント型紙幣結束機で入力部、インターフェース部及びディスプレー部を示す図面である。
【図１０】図７に示されたプリント型紙幣結束機で結束用紙収容部及び印刷部の位置を変更して形成される第１及び第２誘導ブロックを示す図面である。
【図１１】本発明の一実施形態によるＩＤタグが挿入された保安カードを利用した作業者認証プリント型紙幣結束システムの構成ブロック図である。
【図１２】本発明の一実施形態によるＩＤタグが挿入された保安カードを利用した作業者認証プリント型紙幣結束システムの動作方法を示す流れ図である。
【図１３】本発明のプリント型紙幣結束機で使われる紙幣束ね情報の一例が印刷された結束用紙及びこれを使って紙幣を一定単位で結束した紙幣束ねを示す参考図である。
【符号の説明】
【００３８】
１  作業者認証プリント型紙幣結束システム
１０  保安カード
１１  ＩＤタグ
１００  プリント型紙幣結束機
１１０  電源部
１２０  結束用紙収容部
１３０  印刷部
１４０  結束部
１５０  制御部
１６０  センサー部
１７０  入力部
１８０  インターフェース部
１９０  ディスプレー部
２００  メモリー
２１０  ＩＤタグ受信部
２２０  警報音発生部
【図１】
2009535728.tif 000003
【図２】
2009535728.tif 000004
【図３】
2009535728.tif 000005
【図４】
2009535728.tif 000006
【図５】
2009535728.tif 000007
【図６】
2009535728.tif 000008
【図７】
2009535728.tif 000009
【図８】
2009535728.tif 000010
【図９】
2009535728.tif 000011
【図１０】
2009535728.tif 000012
【図１１】
2009535728.tif 000013
【図１２】
2009535728.tif 000014
【図１３】
2009535728.tif 000015
【国際調査報告】
2009535728.tif 000016
2009535728.tif 000017